(57)【要約】【課題】軌道面への防炭剤の垂れ落ち等による移動を拘束または抑制して軌道面への防炭剤の浸入を防ぐ。【解決手段】この防炭剤の浸入防止軸受構造は、防炭処理部４１ｙが形成された外輪４１の端面と外輪４１の軌道面４１ｋとの間の内周面側の位置に、塗布または浸漬後の防炭剤の軌道面４１ｋへの移動を防止または抑制する防炭剤トラップ部４１ｔが設けられている。【選択図】図１
2019100415.tif 000002
【特許請求の範囲】
【請求項１】
軸受の外輪端面に流動性を有する防炭剤の塗布または浸漬による防炭処理部が形成される軸受素材用の防炭剤の浸入防止軸受構造であって、
前記防炭処理部が形成される外輪の端面と前記外輪の軌道面との間の外輪内周側の位置に、前記塗布または浸漬後の防炭剤の前記外輪の軌道面への移動を防止または抑制する防炭剤トラップ部が形成されていることを特徴とする防炭剤の浸入防止軸受構造。
【請求項２】
前記防炭剤トラップ部のトラップ形状は、前記防炭処理部が形成される端面に連続して形成された凹の円環面を有する請求項１に記載の防炭剤の浸入防止軸受構造。
【請求項３】
前記防炭剤トラップ部のトラップ形状は、前記防炭処理部が形成される端面に連続して形成されて外側から内側に向けて縮径する凹の円錐面を有する請求項１に記載の防炭剤の浸入防止軸受構造。
【請求項４】
前記防炭剤トラップ部のトラップ形状は、前記防炭処理部が形成される端面側から順に、該端面の端に連続して外側から内側に向けて縮径する凹の円錐面と、該円錐面の端に連続する凹の円環面と、を有する請求項１に記載の防炭剤の浸入防止軸受構造。
【請求項５】
前記防炭剤トラップ部のトラップ形状は、前記防炭処理部が形成される端面側から順に、該端面に連続する凹の第一円環面と、該第一円環面の端に連続して外側から内側に向けて縮径する凹の円錐面と、該円錐面の端に連続する凹の第二円環面と、を有する請求項１に記載の防炭剤の浸入防止軸受構造。
【請求項６】
ナットに伝達された回転運動をねじ軸の直線運動として変換するボールねじ装置に用いられ、前記回転運動を行う前記ナットを支持するための４点接触玉軸受であって、
軌道面を構成するゴシックアーチ溝をそれぞれ有する内輪および外輪と、これら内輪および外輪の軌道面間に転動自在に介装される複数のボールと、これら複数のボールを保持するクラウン型保持器と、を有し、
前記外輪は、請求項１〜５のいずれか一項に記載の防炭剤の浸入防止軸受構造を有することを特徴とする４点接触玉軸受。
【請求項７】
前記軌道面を構成するゴシックアーチ溝底の位置は、軸方向前後において前記防炭剤トラップ部とは反対側にオフセットしており、前記ゴシックアーチ溝底の位置に対して、前記防炭剤トラップ部側の外輪軸方向長さが反対側の外輪軸方向長さよりも長くなっており、
前記クラウン型保持器は、前記防炭剤トラップ部側とは反対側または内輪の反対側から装着されている請求項６に記載の４点接触玉軸受。
【請求項８】
外周面に螺旋状の転動路を設けたねじ軸と、内周面に前記ねじ軸の転動路に対応する螺旋状の転動路を設けたナットと、前記ねじ軸及び前記ナット相互の転動路間に転動自在に介装される複数の転動体と、前記ナットに回転運動を伝達するトルク伝達部材と、回転運動を行う前記ナットを支持する４点接触玉軸受と、を備え、前記ナットに伝達された回転運動を前記ねじ軸の直線運動として変換するボールねじ装置であって、
前記４点接触玉軸受として、請求項６または７に記載の４点接触玉軸受を備えることを特徴とするボールねじ装置。
【発明の詳細な説明】
【技術分野】
【０００１】
本発明は、防炭剤の浸入防止軸受構造およびこれを備える４点接触玉軸受並びにボールねじ装置に関する。
【背景技術】
【０００２】
例えばボールねじ装置に軸受を使用する場合に、軸受の外輪に対して後工程で追加工を施したり、軸受の外輪に切欠き形状の加工を施すことで薄肉部が形成されたりすることがある。例えば、浸炭処理後に、軸受の外輪端面に切欠き形状を追加工する際、追加工を施す部分での外輪の炭素量を下げたいため、外輪に追加工を施す部分とその近傍のみに防炭処理が施される（例えば特許文献１（段落００１５〜００１６）参照）。
【先行技術文献】
【特許文献】
【０００３】
【特許文献１】特開２０１１−１７４０９号公報
【発明の概要】
【発明が解決しようとする課題】
【０００４】
しかし、防炭処理にあっては、流動性を有する防炭剤を塗布または浸漬する。そのため、防炭剤が軸受外輪端面から外輪の軌道面側に垂れ落ちて軌道面に浸入すると軌道面が焼き入れ不良となる。よって、外輪の軌道面への防炭剤の垂れ落ち等による侵入を防ぐ必要がある。
そこで、本発明は、このような問題点に着目してなされたものであり、軸受の外輪端面に流動性を有する防炭剤の塗布または浸漬による防炭処理部が形成される軸受において、外輪の軌道面への防炭剤の垂れ落ち等による侵入を防止または抑制し得る防炭剤の浸入防止軸受構造およびこれを備える４点接触玉軸受並びにボールねじ装置を提供することを課題とする。
【課題を解決するための手段】
【０００５】
上記課題を解決するために、本発明の一態様に係る防炭剤の浸入防止軸受構造は、軸受の外輪端面に流動性を有する防炭剤の塗布または浸漬による防炭処理部が形成される軸受素材用の防炭剤の浸入防止軸受構造であって、前記防炭処理部が形成される外輪の端面と前記外輪の軌道面との間の外輪内周側の位置に、前記塗布または浸漬後の防炭剤の前記外輪の軌道面への移動を防止または抑制する防炭剤トラップ部が形成されていることを特徴とする。
また、上記課題を解決するために、本発明の一態様に係る４点接触玉軸受は、ナットに伝達された回転運動をねじ軸の直線運動として変換するボールねじ装置に用いられ、前記回転運動を行う前記ナットを支持するための４点接触玉軸受であって、軌道面を構成するゴシックアーチ溝をそれぞれ有する内輪および外輪と、これら内輪および外輪の軌道面間に転動自在に介装される複数のボールと、これら複数のボールを保持するクラウン型保持器と、を有し、前記外輪は、本発明の一態様に係る防炭剤の浸入防止軸受構造を有することを特徴とする。
【０００６】
さらに、本発明の一態様に係るボールねじ装置は、外周面に螺旋状の転動路を設けたねじ軸と、内周面に前記ねじ軸の転動路に対応する螺旋状の転動路を設けたナットと、前記ねじ軸及び前記ナット相互の転動路間に転動自在に介装される複数の転動体と、前記ナットに回転運動を伝達するトルク伝達部材と、回転運動を行う前記ナットを支持する４点接触玉軸受と、を備え、前記ナットに伝達された回転運動を前記ねじ軸の直線運動として変換するボールねじ装置であって、前記４点接触玉軸受として、本発明の一態様に係る４点接触玉軸受を備えることを特徴とする。
【発明の効果】
【０００７】
本発明によれば、軸受の外輪端面に流動性を有する防炭剤の塗布または浸漬による防炭処理部が形成される軸受素材に対し、防炭処理部が形成される外輪の端面と外輪の軌道面との間の外輪内周側の位置に、防炭剤トラップ部を設けたので、これにより、外輪の軌道面への防炭剤の垂れ落ち等による移動を拘束または抑制して軌道面への防炭剤の浸入を防止または抑制できる。
【図面の簡単な説明】
【０００８】
【図１】本発明の一態様に係る防炭剤の浸入防止軸受構造を有する軸受を備えるボールねじ装置の第一実施形態を示す模式的説明図であり、同図では軸方向に沿った断面を示している。
【図２】本発明の一態様に係る防炭剤の浸入防止軸受構造を有する軸受を備えるボールねじ装置の第二実施形態を示す模式的説明図であり、同図では軸方向に沿った断面を示している。
【図３】防炭剤トラップ部のトラップ形状の変形例を説明する要部拡大図（（ａ）〜（ｃ））であり、同図では固定プレートを装着する凹部の追加工前の状態を示している。
【発明を実施するための形態】
【０００９】
以下、本発明の一実施形態について、図面を適宜参照しつつ説明する。なお、図面は模式的なものである。そのため、厚みと平面寸法との関係、比率等は現実のものとは異なることに留意すべきであり、図面相互間においても互いの寸法の関係や比率が異なる部分が含まれている。また、以下に示す実施形態は、本発明の技術的思想を具体化するための装置や方法を例示するものであって、本発明の技術的思想は、構成部品の材質、形状、構造、配置等を下記の実施形態に特定するものではない。
【００１０】
［第一実施形態］
図１に示すように、第一実施形態のボールねじ装置１０は、ねじ軸２０およびナット３０を備える。ねじ軸２０の外周面には螺旋状の転動路であるねじ溝２１が設けられ、ナット３０の内周には、ねじ溝２１に対向する螺旋状の転動路であるねじ溝３１が設けられている。
図示を省略するが、ねじ軸２０およびナット３０相互のねじ溝２１、３１の間には、転動体である複数のボール（図示せず）が転動自在に介装され、これら複数のボールは、転動路の端を繋ぐボール循環路を介して循環可能に構成されている。ナット３０の軸方向の略中央部には、キー溝にキー３３が装着され、その外周の位置に、歯車等のトルク伝達部材７１が取り付けられている。トルク伝達部材７１は、外部からの回転入力Ｒにより、ねじ軸２０を中心として回転するようになっている。
ナット３０は、トルク伝達部材７１の同図右側の位置で、ハウジング８０に対して４点接触玉軸受４０を介して回転自在に支持されている。本実施形態の４点接触玉軸受４０は、その外輪４１の端面が、ハウジング８０の端面に対して面一に固定部９０によって固定される。
【００１１】
本実施形態の固定部９０は、円環状に形成された板部材である固定プレート９１と、固定プレート９１の周方向に離隔して複数形成された装着穴に装着される固定ねじ９２とを有する。外輪４１の端面には、その外周側に円環状の凹部４１ｊが、固定プレート９１の内周が嵌め込まれるとともに周方向の移動を拘束する係合が可能に追加工によって形成される。
また、ハウジング８０の端面には、その内周側に円環状の凹部８０ｊが固定プレート９１の外周側を嵌め込み可能に形成されるとともに、固定プレート９１の複数の装着穴に対向する位置それぞれに、雌ねじが形成される。これにより、固定プレート９１を凹部４１ｊ、８０ｊに嵌め込むとともに固定ねじ９２を締めこむことにより、外輪４１がハウジング８０に固定されるようになっている。これにより、本実施形態では、軸方向に固定されているナット３０が外部からの回転入力Ｒに応じて回転することにより、ねじ軸２０が軸方向に直線駆動されるようになっている。
【００１２】
本実施形態のボールねじ装置１０は、ナット３０の端面には、規制手段を構成する二つの係止部６１、６２が周方向に１８０°離隔した位置に設けられている。また、ねじ軸２０には、規制手段を構成するストッパ５０がスプライン嵌合により装着されている。ストッパ５０には、二つのストッパ部５１、５２が周方向に１８０°離隔した位置に設けられている。
これにより、本実施形態のボールねじ装置１０は、トルク伝達部材７１への外部からの回転入力Ｒにより、トルク伝達部材７１とともにナット３０が所定量の回転をすると、ねじ軸２０が所定の直線運動の行程を超えた場合に、ナット３０の係止部６１、６２がねじ軸２０のストッパ部５１、５２に同時に当接し、ボールねじ装置１０自身およびボールねじ装置１０に駆動される装置の破損を防止するために、ねじ軸２０の直線運動行程を強制的に制限可能になっている。
【００１３】
次に、上記４点接触玉軸受４０およびその外輪４１に設けられた防炭剤トラップ部４１ｔ（図１の符号Ｘで示す部分）について説明する。
第一実施形態の４点接触玉軸受４０は、円環状の外輪４１と、ナット３０の外周面に一体形成されて内輪として機能する内輪部（ナット３０の外周面に内輪軌道面４２ｋが形成されている部分（以下同じ））と、転動体である複数のボール（玉）４３とを有する。ボール４３は、クラウン型保持器４４で円周方向に等間隔に且つ転動自在に保持されている。この４点接触玉軸受４０には、ボールねじ装置１０の組立時にグリース等の潤滑油が封入され、４点接触玉軸受４０の外輪４１と内輪部との間で形成される開口部は不図示のシール又はシールドで塞がれる。
【００１４】
より詳しくは、この４点接触玉軸受４０は、内輪軌道面４２ｋ及び外輪軌道面４１ｋの断面形状が、ゴシックアーチ形状（中心の異なる２つの同一円弧を組合せた略Ｖ字状）である。そして、内輪軌道面４２ｋ相互の境界部分には凹部からなるボール転動溝底（ゴシックアーチ溝底）４２ｄが形成され、外輪軌道面４１ｋ相互の境界部分には凹部からなるボール転動溝底（ゴシックアーチ溝底）４１ｄが形成されており、これらボール転動溝底４１ｄ、４２ｄ内に潤滑剤としてグリースが保持される。そのため、これら軌道面４１ｋ、４２ｋとボール（玉）４３との間にグリースが常に存在することとなって、ボール転動溝底４１ｄ、４２ｄ内のグリースは、内外の軌道面４１ｋ、４２ｋとボール４３の周囲に供給され、４点接触玉軸受４０の良好な潤滑が長期間にわたって維持されるようになっている。
【００１５】
第一実施形態の４点接触玉軸受４０は、上述したように、内輪を構成する部分がナット３０と一体形成されている。また、第一実施形態の外輪４１は、軸方向前後においてボール転動溝底４１ｄの位置で分割体４１ａ，４１ｂの二つに分離されている。さらに、第一実施形態の４点接触玉軸受４０は、外輪４１の一端面（同図左側の端面）側からハウジング８０の端面に固定部９０によって軸方向に固定ねじ９２を締めこむことにより固定される。
これにより、この４点接触玉軸受４０は、正確な位置決めと予圧付与が可能であって、アキシャル荷重とラジアル荷重とモーメント荷重を同時に受けることができるとともに軸受幅を小さくできる。そのため、例えば二列組合せアンギュラ玉軸受よりも軽量でスペースをとらず、ボールねじ装置を一層小型化することができる。
【００１６】
つまり、この４点接触玉軸受４０は、外輪４１の分割体４１ａ，４１ｂの対向する端面間に、内外輪の軌道面４１ｋ，４２ｋとボール４３とが幾何的に４点接触した状態で適度な予圧が付与されるように分割体４１ａ，４１ｂが設計され、ハウジング８０への固定部９０による組み立て時に、分割体４１ａ，４１ｂ相互を軸方向に押し付けて、分割体４１ａ，４１ｂ相互の端面同士を接触させることで所期の予圧を付与可能になっている。なお、本実施形態では、ハウジング８０への固定部９０による組み立て例を示したが、これに限らず、例えば、軸受ナットや押え蓋によって分割体４１ａ，４１ｂ相互を軸方向に押し付けて、分割体４１ａ，４１ｂ相互の端面同士を接触させることで予圧を付与してもよい。
【００１７】
さらに、この４点接触玉軸受４０は、外輪４１に給脂部４１ｍを有する。給脂部４１ｍは、外輪４１の径方向外型から外輪４１のボール転動溝底４１ｄに給脂可能に連通形成されている。第一実施形態においては、上述した外輪４１の分割体４１ａ，４１ｂの対向する端面間に画成された円環状隙間が給脂部４１ｍを構成している。
これにより、この４点接触玉軸受４０では、給脂口８０ｈから給脂部４１ｍを介して、軌道面４１ｋ、４２ｋとボール４３の周囲にグリース等の潤滑油を直接給脂できる。そのため、ボールねじ機構一体型の４点接触玉軸受４０において、軸受内部まで潤滑油を十分に行き渡らせる上で好適である。
【００１８】
ここで、上述したように、この４点接触玉軸受４０は、追加工が施される外輪４１がハウジング８０に固定部９０によって固定される構成なので、外輪４１の端面は、予め防炭処理が施された防炭処理部４１ｙとされている。しかし、防炭処理にあっては、軸受素材の段階で、流動性を有する防炭剤を塗布または浸漬する。そのため、防炭処理部４１ｙから外輪４１の軌道面４１ｋへの防炭剤の垂れ落ち等による侵入を防ぐ必要がある。
そこで、この４点接触玉軸受４０は、軸受素材の段階で、防炭処理部４１ｙが形成された外輪４１の端面と外輪４１の軌道面４１ｋとの間の外輪内周側の位置（同図に符号Ｘで示す位置）に、塗布または浸漬後の防炭剤の軌道面４１ｋへの移動を防止または抑制する防炭剤トラップ部４１ｔを形成している。この４点接触玉軸受４０を製造する際は、熱処理前の軸受素材の段階での外輪４１の端面に対し、防炭剤トラップ部４１ｔを防炭処理前に形成しておき、防炭剤トラップ部４１ｔの形成後に、外輪４１の端面の防炭処理部４１ｙに防炭剤を塗布または浸漬する。
【００１９】
特に、第一実施形態の４点接触玉軸受４０では、防炭剤トラップ部４１ｔのトラップ形状は、防炭処理部４１ｙが形成される端面側から順に、該端面の端に連続して外側から内側に向けて縮径するスロープ状の凹の円錐面を有する円錐部４１ｓと、該円錐部４１ｓの端に連続するフラットな凹の円環面を有する円環部４１ｎと、を備えて構成されている。円環部４１ｎの奥側は、防炭処理部４１ｙが形成される端面と並行な壁面４１ｈとなっている。
さらに、この４点接触玉軸受４０は、軌道面４１ｋの底を構成するボール転動溝底４１ｄの位置が、軸方向前後において防炭剤トラップ部４１ｔとは反対側にオフセットしており、これにより、ボール転動溝底４１ｄの位置に対して、防炭剤トラップ部４１ｔ側の分割体４１ａの軸方向長さαが、反対側の分割体４１ｂの軸方向長さβよりも長くなっている（α＞β）。また、クラウン型保持器４４は、リム側が反負荷側となるように、防炭剤トラップ部４１ｔ側とは反対の分割体４１ｂの側から装着されている。
【００２０】
次に、上記４点接触玉軸受４０を備えるボールねじ装置１０の作用効果について説明する。
このボールねじ装置１０は、防炭剤の浸入防止軸受構造として、防炭剤トラップ部４１ｔを４点接触玉軸受４０に備えているので、防炭剤トラップ部４１ｔのトラップ形状による多段の凹または凸の段部が防炭剤を滞留させて、防炭剤の垂れ落ち等による軌道面４１ｋへの浸入を防止または抑制できる。
ここで、防炭剤の垂れ落ちは、防炭剤乾燥時の外輪４１の姿勢において、防炭剤の塗布面よりも軌道面４１ｋが低い位置にある場合に顕著に生じ得るところ、このボールねじ装置１０によれば、防炭剤の塗布面である防炭処理部４１ｙと軌道面４１ｋとの間に、凹または凸の段部が連続する複数の面および角からなる防炭剤トラップ部４１ｔを形成したので、防炭処理部４１ｙと軌道面４１ｋとが連続的に続いている場合でも、塗布面側から軌道面４１ｋ側へと垂れおちる防炭剤が、必ず防炭剤トラップ部４１ｔによる凹または凸の段部を通過することになる。よって、防炭剤トラップ部４１ｔによる凹または凸形状に形成された複数の面や角による界面間での界面張力や濡れ効果によって防炭剤を効果的にトラップできる。
【００２１】
さらに、この４点接触玉軸受４０は、外輪軌道面４１ｋを構成するボール転動溝底４１ｄの位置をオフセットさせて、防炭剤トラップ部４１ｔ側の分割体４１ａの軸方向長さαが、反対側の分割体４１ｂの軸方向長さβよりも長くなっている（α＞β）ので、防炭剤トラップ部４１ｔを形成するスペースを可及的に長く確保するとともに、塗布面から軌道面４１ｋまでの距離を広げることにより、防炭剤の垂れ落ち等による軌道面４１ｋへの浸入を防止または抑制する上で好適である。
ここで、この４点接触玉軸受４０は、ナット３０に伝達された回転運動をねじ軸２０の直線運動として変換するボールねじ装置１０に用いられ、回転運動を行うナット３０を支持するものであるところ、トルク伝達部材７１への外部からの回転入力Ｒにより、トルク伝達部材７１とともにナット３０が所定量の回転をするとき、４点接触玉軸受４０は、内輪側に軸方向負荷（同図に示す符号Ｆ）を受ける。
【００２２】
これに対し、この４点接触玉軸受４０は、軌道面４１ｋの底を構成するボール転動溝底４１ｄの位置が、軸方向前後において内輪の反負荷側にオフセットしており、これにより、ボール転動溝底４１ｄの位置に対して、内輪の負荷側の軸方向での分割体４１ａの軸方向長さ（肉厚）αが、反負荷側の分割体４１ｂの軸方向長さ（肉厚）βよりも長くなっている（α＞β）ので、４点接触玉軸受４０の負荷側での内容積を広げることができる。
そのため、面圧大となる内輪部の負荷側に、より多くのグリースが配分されるため、４点接触玉軸受４０の良好な潤滑を長期間にわたって維持する上で好適である。また、クラウン型保持器４４は、そのリム側が反負荷側となるように、反負荷側の分割体４１ｂの側から装着されているので、保持器をコンパクトに構成しつつ、内輪部の負荷側の軸方向での分割体４１ａの軸方向長さ（肉厚）αをより厚肉にすることができる。
【００２３】
［第二実施形態］
図２に示すように、第二実施形態のボールねじ装置１０では、４点接触玉軸受４０は、内輪４２とナット３０とは別個の部品から構成されている点が上記第一実施形態と相違する。第二実施形態の内輪４２は、軸方向前後においてゴシックアーチ溝底の位置で分割され、円環状に形成された二つの分割体４２ａ，４２ｂから構成されている。
内輪４２は、各分割体４２ａ，４２ｂの内周面がナット３０の外周面に対して締め代を有し、内面に圧入用のねじが形成された円環状の装着ナット８２をトルク伝達部材７１とは反対の側から締めこむことにより圧入嵌合される。これにより、トルク伝達部材７１は、キー結合により円周方向に、軸受４０の内輪４２により軸方向に、それぞれナット３０と相対的に位置がずれることの無いように取り付けられる。
また、第二実施形態では、４点接触玉軸受４０の外輪４１は分割されておらず、一の中空円筒状部材から構成されている点が上記第一実施形態と相違する。さらに、第二実施形態では、外輪４１の給脂部４１ｍは、外輪４１の径方向外型から外輪４１のボール転動溝底４１ｄに給脂可能なように、円形横断面の貫通穴によって形成されている点が上記第一実施形態と相違する。
【００２４】
その他の構成は、上記第一実施形態と同様である。この第二実施形態のボールねじ装置１０においても、上記第一実施形態と同様の構成を有する防炭剤トラップ部４１ｔを４点接触玉軸受４０に備えている。よって、この第二実施形態においても、上記第一実施形態と同様に、防炭剤トラップ部４１ｔによる凹または凸形状に形成された複数の面および角による界面間での界面張力や濡れ効果によって防炭剤をトラップし、防炭剤の垂れ落ち等による軌道面４１ｋへの浸入を防止または抑制できる。
また、上記第一実施形態と同様に、外輪軌道面４１ｋを構成するボール転動溝底４１ｄの位置をオフセットさせて、ボール転動溝底４１ｄの位置に対し、防炭剤トラップ部４１ｔ側の軸方向長さαが、反対側の軸方向長さβよりも長くなっている（α＞β）ので、防炭剤トラップ部４１ｔを形成するスペースを確保するとともに、塗布面から軌道面４１ｋまでの距離を広げることにより、防炭剤の垂れ落ち等による軌道面４１ｋへの浸入を防止または抑制する上で好適である。
【００２５】
なお、本発明に係る防炭剤の浸入防止軸受構造およびこれを備える軸受並びにボールねじ装置は、上記各実施形態に限定されるものではなく、本発明の趣旨を逸脱しなければ種々の変形が可能である。
例えば、上記各実施形態では、防炭剤トラップ部のトラップ形状は、防炭処理部４１ｙが形成される端面側から順に、該端面の端に連続して外側から内側に向けて縮径する円錐面を有する円錐部４１ｓと、該円錐部４１ｓの端に連続する円環面を有する円環部４１ｎと、を有する例を示したが、これに限定されず、凹または凸形状に形成された複数の面および角による界面間での界面張力および濡れ効果によって防炭剤をトラップできれば、種々のトラップ形状を採用できる。
【００２６】
例えば、図３に変形例を示す。なお、同図に示す例では、防炭剤乾燥時の外輪４１の素材を、テーブル面Ｔに対して防炭処理部４１ｙを上にして載置した姿勢で防炭剤を乾燥させるイメージを併せて示している。
同図（ａ）に示す例では、防炭剤トラップ部のトラップ形状は、防炭処理部４１ｙが形成される端面に連続して形成されて外側から内側に向けて縮径する凹の円錐面を有する円錐部４１ｓ（つまり、円錐部４１ｓのみが防炭剤トラップ部４１ｔに対応する）を備える。このような構成であっても、凹または凸形状に形成された面や角による界面間での界面張力や濡れ効果によって防炭剤をトラップできる。
【００２７】
また、防炭剤トラップ部のトラップ形状は、防炭処理部４１ｙが形成される端面に連続して形成された凹の円環面を有する円環部４１ｎ（つまり、円環部４１ｎのみが防炭剤トラップ部４１ｔに対応する）を備える構成としてもよい（同図（ｂ）参照）。このような構成であっても、凹または凸形状に形成された面や角による界面間での界面張力や濡れ効果によって防炭剤をトラップできる。
さらに、防炭剤トラップ部４１ｔのトラップ形状は、より多段化してもよい。例えば、同図（ｃ）に示すように、防炭処理部４１ｙが形成される端面側から順に、該端面に連続する凹の円環面を有する第一円環部４１ｐと、該第一円環部４１ｐの端に連続して外側から内側に向けて縮径する凹の円錐面を有する円錐部４１ｓと、該円錐部４１ｓの端に連続する凹の円環面を有する第二円環部４１ｎと、を備える構成としてもよい。
【００２８】
さらにまた、同図（ｃ）に示すように、凹または凸の段部の角の位置に、細幅の凹の溝部４１ｇを形成することが好ましい。細幅の溝部４１ｇを凹または凸の段部の角に設ければ、凹または凸形状に形成された面や角による界面間での界面張力や濡れ効果とともに、細幅の溝による毛管現象によって防炭剤の軌道面への移動をより好適に防止または抑制できる。
【符号の説明】
【００２９】
１０    ボールねじ装置
２０    ねじ軸
２１    （ねじ軸の）ねじ溝（転動路）
３０    ナット
３１    （ナットの）ねじ溝（転動路）
３３    キー
４０    ４点接触玉軸受
４１    外輪
４１ａ，４１ｂ    （外輪の）分割体
４１ｄ    ボール転動溝底
４１ｇ    溝部
４１ｈ    壁面
４１ｋ    （外輪の）軌道面
４２ｋ    （内輪側の）軌道面
４１ｍ    給脂部
４１ｓ    円錐部
４１ｎ，４１ｐ    円環部
４１ｔ    防炭剤トラップ部
４１ｙ    防炭処理部
４２    内輪、内輪部
４２ａ，４２ｂ    （内輪の）分割体
４２ｄ    ボール転動溝底
４２ｋ    （内輪の）軌道面
４３    ボール（転動体）
４４    クラウン型保持器
５０    ストッパ
５１    ストッパ部
６１    係止部
７１    トルク伝達部材
８０    ハウジング
８２    装着ナット
９０    固定部
９１    固定プレート
９２    固定ねじ
Ｒ    回転入力
【図１】
2019100415.tif 000003
【図２】
2019100415.tif 000004
【図３】
2019100415.tif 000005